(57)【要約】【課題】イニシャル費を高騰させることなく、操作感触を阻害しない表示装置を提供する。【解決手段】表示装置１は、画面を表示するディスプレイ３と、ディスプレイ３の画面に対応して機械的な操作を実行するロータリスイッチ５と、ディスプレイ３の表示領域３１を取り囲むブラケット４と、ブラケット４の一部がディスプレイ３の表示領域３１内に突出するように屈曲して形成されてロータリスイッチ５の一部をディスプレイ３の表示領域３１内に離間してオーバラップするように支持する屈曲片４１とを備えている。【選択図】図３
2017207613.tif 000002
【特許請求の範囲】
【請求項１】
画面を表示する表示部と、
前記表示部の画面に対応して機械的な操作を実行するロータリスイッチと、
前記表示部の表示領域を取り囲むブラケットと、
前記ブラケットの一部が前記表示部の表示領域内に突出するように屈曲して形成され、前記ロータリスイッチの一部を前記表示部の表示領域内に離間してオーバラップするように支持する支持部と、
を備えてなることを特徴とする表示装置。
【請求項２】
前記ロータリスイッチは、前記ロータリスイッチの回転を検出するロータリエンコーダを備え、
前記ロータリエンコーダは、前記ロータリスイッチの回転軸を中心として設けられた第１歯車と、前記第１歯車に直交して噛み合う第２歯車と、前記第２歯車の回転に応じたパルス信号を出力する検出デバイスとを備えてなる請求項１に記載の表示装置。
【発明の詳細な説明】
【技術分野】
【０００１】
本発明は、表示装置に係り、特に、ロータリスイッチを備えた表示装置に関する。
【背景技術】
【０００２】
従来の表示装置の一例としては、マルチディスプレイとマルチスイッチとを備えたマルチディスプレイスイッチがある（例えば、特許文献１参照。）。
【０００３】
上記特許文献１に記載されたマルチディスプレイスイッチは、ディスプレイの表示領域内に穴を設け、穴にロータリスイッチの軸を貫通させている。
【先行技術文献】
【特許文献】
【０００４】
【特許文献１】特開２００３−１５１３９９号公報
【発明の概要】
【発明が解決しようとする課題】
【０００５】
上記特許文献１に記載のマルチディスプレイスイッチは、ディスプレイの表示領域内に穴を設けるため，製品毎に発生する穴加工費等のイニシャル費が必要になるという問題点、ロータリスイッチの直下に支持する構造がないため、操作者に操作感触の振動フィードバックを付与する構造の場合は、ロータリスイッチがディスプレイの表示領域に接触することにより振動フィードバック効果を抑制してしまうという問題点があった。
【０００６】
従って、本発明の目的は、イニシャル費を高騰させることなく、操作感触を阻害しない表示装置を提供することにある。
【課題を解決するための手段】
【０００７】
上記目的を達成するために、本発明により提供される表示装置は、画面を表示する表示部と、前記表示部の画面に対応して機械的な操作を実行するロータリスイッチと、前記表示部の表示領域を取り囲むブラケットと、前記ブラケットの一部が前記表示部の表示領域内に突出するように屈曲して形成され、前記ロータリスイッチの一部を前記表示部の表示領域内に離間してオーバラップするように支持する支持部と、を備えてなることを特徴としている。
【０００８】
本発明に係る表示装置において、前記ロータリスイッチは、前記ロータリスイッチの回転を検出するロータリエンコーダを備え、前記ロータリエンコーダは、前記ロータリスイッチの回転軸を中心として設けられた第１歯車と、前記第１歯車に直交して噛み合う第２歯車と、前記第２歯車の回転に応じたパルス信号を出力する検出デバイスとを備えてなることで構成することができる。
【発明の効果】
【０００９】
本発明によれば、加工費等のイニシャル費を高騰させることなく、操作感触を阻害しない表示装置が効果的に得られる。
【図面の簡単な説明】
【００１０】
【図１】本発明に好適な実施の形態に係る表示装置の一例を模式的に示す斜視図である。
【図２】表示装置の一構成部材の一例を模式的に示す分解斜視図である。
【図３】図１のＩＩＩ−ＩＩＩ線矢視の要部断面拡大図である。
【図４】表示装置に適用されるロータリエンコーダの一構成部材の一例を説明する説明図である。
【発明を実施するための形態】
【００１１】
以下、本発明の好適な実施の形態を添付図面に基づいて具体的に説明する。
【００１２】
（表示装置の全体構成）
図１において、全体を示す符号１は、本実施の形態に係る典型的な表示装置の一例を示している。この表示装置１は、特に限定されるものではないが、例えば自動車のインストルメントパネルの中央部付近に配置されたセンタクラスタ２に配置される。
【００１３】
図１及び図２において、表示装置１は、車載機器のディスプレイ３と、ディスプレイ３の表示領域３１の周辺部を取り囲む金属枠材からなるブラケット４と、ブラケット４の一部に支持されるロータリスイッチ５とを備えている。
【００１４】
図示例によるディスプレイ３は、特に限定されるものではないが、タッチ操作する操作者に操作感を与える触覚フィードバック構造を備えており、車載機器の操作内容を示す複数の機能項目が表示される画面を表示する液晶表示板等のディスプレイパネルと、操作者がディスプレイパネルに触れた位置を検出する透明なタッチパネルとを備えている。
【００１５】
ディスプレイ３は、ディスプレイパネルに画面を表示するとともに、タッチパネルによりタッチ操作を検出する。ディスプレイパネルの画面に対応するタッチパネルの位置座標に応じて設定された機能項目を車載機器が実行するようになっている。車載機器は更に、ロータリスイッチ５の機械的な操作により作動する。なお、この種のディスプレイ３については、従来から広く知られた周知の構造を用いるため、その詳しい説明は省略する。
【００１６】
（ロータリスイッチの構成）
本実施の形態では、歯車機構を用いた表示装置１、特に、表示部であるディスプレイ３と機械的なスイッチであるロータリスイッチ５とを接触し合わないようにオーバラップした構造を特徴部としている。
【００１７】
図１、図２、及び図３に示すように、ロータリスイッチ５は、ディスプレイ３の表示に対応する車載機器に機械的な操作を実行するための円柱状の回転ノブ５１を有するスイッチであり、例えばディスプレイ３の表示領域３１に表示された複数の機能項目のうちの１つの機能項目を選択して所望の表示に切り換える機械的な操作を行うために用いられる。回転ノブ５１は、回転軸５２を介してセンタクラスタ２の表面に回転自在に支持されている。
【００１８】
ディスプレイ３の表示領域３１の周辺部を取り囲むブラケット４は、剛性を有する金属枠材からなり、外乱磁界の影響を低減させる磁気シールドとしても用いられる。ブラケット４の一部は、ディスプレイ３の表示領域３１内に突出するように逆Ｌ字状に屈曲した屈曲片４１を有している。
【００１９】
この屈曲片４１は、ロータリスイッチ５の支持部として構成されている。屈曲片４１により、回転ノブ５１がディスプレイ３の表示領域３１から離れた位置に対向して支持されるようになっており、回転ノブ５１の一部と表示領域３１とが所要の間隔Ｄでオーバラップした構造とされている。
【００２０】
ロータリスイッチ５は、図３及び図４に示すように、回転ノブ５１の回転位置情報として出力するロータリエンコーダ５３を備えている。ロータリエンコーダ５３は、第１歯車５４及び第２歯車５５からなる歯車機構を備えている。
【００２１】
回転ノブ５１のディスプレイ対向面には、回転軸５２を中心とする円形の第１歯車５４が形成されている。センタクラスタ２の表面には、貫通孔２１が形成されており、貫通孔２１には、第１歯車５４と直交して噛み合う第２歯車５５がセンタクラスタ２の内部隔壁２２に回転自在に支持されている。ロータリスイッチ５の回転操作により、第１歯車５４と第２歯車５５とが噛み合うことで第１歯車５４に連動して第２歯車５５が回転する。
【００２２】
図示例によるロータリエンコーダ５３は、反射型のロータリエンコーダであり、第２歯車５５の平面部に形成された反射パターン５６と、図示しない配線及び接続装置を介して制御部と接続する基板２３に搭載された光デバイス５７とを備えている。反射パターン５６は、所定の間隔をもって反射する反射部５６１と、反射しない非反射部５６２とを交互に周方向にわたって配列されている。反射部５６１は、例えば蒸着による鏡面仕上げ、反射塗料の塗布や反射シールの貼付等によって形成される。
【００２３】
一方の光デバイス５７は、センタクラスタ２における第２歯車５５の平面部と対向する内部隔壁２４に基板２３を介して配置されており、例えばＬＥＤ等による発光素子及び集光用レンズを含む発光部５７１と、フォトセンサ等による受光素子及び集光用レンズを含む受光部５７２とを１つのパッケージに収めた構成とされている。
【００２４】
光デバイス５７は、発光部５７１及び受光部５７２の光路が反射パターン５６の反射部５６１の１つに結ばれるように調整されている。この反射パターン５６及び光デバイス５７を組み合わせた検出デバイスにより、第２歯車５５の回転に応じたパルス信号が出力されることで、ロータリスイッチ５の回転が検出される。
【００２５】
（実施の形態の効果）
以上のように構成された表示装置１によれば、表示部であるディスプレイ３と機械的なスイッチであるロータリスイッチ５とを接触し合わないようにオーバラップした構造としていることから、上記効果に加えて以下の効果が得られる。
【００２６】
ディスプレイ３の形状を変更することなく、ロータリスイッチ５の取付剛性を確保することができる。
【００２７】
ディスプレイ３を孔加工する必要がないため、外観意匠性を向上させることができる。
【００２８】
ディスプレイ３の表示領域３１の周辺部を取り囲む磁気シールドとなるブラケット４の屈曲片４１によってロータリスイッチ５を支持する簡単な支持構造で、操作者に触覚フィードバックを与えることができる。
【００２９】
なお、光学式のロータリエンコーダ５３としては、反射型に代えて透過型であってもよく、あるいは磁気式のロータリエンコーダを用いることもできる。また、非接触タイプでなく物理的に接触して読み取るエンコーダであってもよい。
【００３０】
更に、ロータリスイッチ５をプッシュ操作することでディスプレイ３上の機能項目を選択決定するためのエンター用スイッチとして用いることもできる。
【００３１】
更にまた、本発明に係る表示装置１は、例えば使用目的などに応じて配置位置や配置形態などを適宜に選択すればよく、車載機器以外のゲーム機やパーソナルコンピュータなどの各種の端末装置に適用することができることは勿論であり、本発明の初期の目的を達成することができる。
【００３２】
以上の説明からも明らかなように、本発明に係る代表的な実施の形態、変形例、及び図示例は、特許請求の範囲に係る発明を限定するものではない。従って、上記実施の形態、変形例、及び図示例の中で説明した特徴の組合せの全てが発明の課題を解決するための手段に必須であるとは限らない点に留意すべきである。
【符号の説明】
【００３３】
１…表示装置、２…センタクラスタ、３…ディスプレイ、４…ブラケット、５…ロータリスイッチ、２１…貫通孔、２２，２４…内部隔壁、２３…基板、３１…表示領域、４１…屈曲片、５１…回転ノブ、５２…回転軸、５３…ロータリエンコーダ、５４…第１歯車、５５…第２歯車、５６…反射パターン、５７…光デバイス、５６１…反射部、５６２…非反射部、５７１…発光部、５７２…受光部、Ｄ…間隔
【図１】
2017207613.tif 000003
【図２】
2017207613.tif 000004
【図３】
2017207613.tif 000005
【図４】
2017207613.tif 000006